(57)【特許請求の範囲】
【請求項１】
無線通信機器のファームウェアアップグレード方法において：
（ａ）  前記無線通信機器の使用者識別名，及び少なくとも前記無線通信機器のファームウェア更新情報とバッテリレベル情報とを含むファームウェアアップグレードに必要な情報を該当基地局に伝送する段階と；
（ｂ）  伝送された前記無線通信機器のファームウェア更新情報及び前記バッテリレベル情報に基づいて，前記無線通信機器のファームウェアが最新バージョンではなく，かつ，前記バッテリレベルが所定レベル以上である場合に前記無線通信機器のファームウェアアップグレードを許可するように，前記該当基地局によって前記無線通信機器のファームウェアアップグレードの諾否が決定される段階と，
（ｃ）前記基地局からの指示により前記無線通信機器がファームウェアアップグレードモードに転換する段階と；
（ｄ）  前記該当基地局から送信されたファームウェアアップグレードデータに応じて前記無線通信機器のファームウェアを無線でアップグレードする段階と；を具備することを特徴とする，無線通信機器のファームウェアアップグレード方法。
【請求項２】
さらに，前記該当基地局から前記使用者に対して，前記ファームウェアアップグレードモードに応じて前記無線通信機器の正常モードでの使用が遅延されることを示す遅延メッセージを知らせる段階を含むことを特徴とする，請求項１に記載の無線通信機器のファームウェアアップグレード方法。
【請求項３】
さらに，前記該当基地局から前記使用者に対して，前記ファームウェアアップグレードに要する費用について示す料金メッセージを知らせる段階を含むことを特徴とする，請求項１または２に記載の無線通信機器のファームウェアアップグレード方法。
【請求項４】
さらに，前記使用者が前記ファームウェアアップグレードモードへの変更を承認する段階を含むことを特徴とする，請求項１，２または３のいずれかに記載の無線通信機器のファームウェアアップグレード方法。
【請求項５】
前記（ａ）〜（ｄ）段階は，前記無線通信機器の電源投入時に，前記無線通信機器が正常モードに入る前に実行されることを特徴とする，請求項１，２，３または４のいずれかに記載の無線通信機器のファームウェアアップグレード方法。
【請求項６】
前記（ａ）〜（ｄ）段階は，前記使用者または前記該当基地局により前記無線通信機器が前記正常モードから前記ファームウェアアップグレードモードにイネーブルされることにより実行されることを特徴とする，請求項１，２，３，４または５のいずれかに記載の無線通信機器のファームウェアアップグレード方法。
【請求項７】
基地局における発信局に対するファームウェアアップグレード支援方法において：
（ａ）  パイロット信号を受信する段階と；
（ｂ）  前記パイロット信号に対応する発信局の使用者識別名，ファームウェアアップグレード更新情報及びバッテリレベルを確認する段階と；
（ｃ）  前記バッテリレベルが所定レベル以上である場合に，前記ファームウェアアップグレード更新情報に応じて前記発信局のファームウェア更新の要否を判断し，ファームウェア更新が必要な場合には前記発信局にファームウェアアップグレードモードを伝送する段階と；
（ｄ）  前記発信局の受入れの可否に応じて，前記発信局のファームウェアを無線でアップグレードする段階と；を具備することを特徴とする，基地局におけるファームウェアアップグレード支援方法。
【請求項８】
さらに，前記発信局がファームウェアアップグレードを受入れるかを判断し，受入れる場合には，無線でファームウェアアップグレードのためのデータを伝送する段階を含むことを特徴とする，請求項７に記載の基地局におけるファームウェアアップグレード支援方法。
【請求項９】
前記（ａ）〜（ｄ）段階は，前記基地局が前記発信局から前記パイロット信号を受信した時に実行されることを特徴とする，請求項７または８に記載の基地局におけるファームウェアアップグレード支援方法。
【請求項１０】
前記（ａ）〜（ｄ）段階は，前記発信局または前記基地局で前記ファームウェアアップグレードを要求する場合に実行されることを特徴とする，請求項７，８または９のいずれかに記載の基地局におけるファームウェアアップグレード支援方法。
【発明の詳細な説明】
【０００１】
【発明の属する技術分野】
本発明は，無線通信システムに係り，特に無線通信機器のファームウェアアップグレード方法及び基地局におけるファームウェアアップグレード支援方法に関する。
【０００２】
【従来の技術】
一般に，携帯電話の使用者が，最新機能を要求したり，または他の理由で携帯電話のファームウェア（Ｆ／Ｗ）をアップグレードしようとする場合には，使用者が直接携帯電話の代理店や修理可能な所に行って，携帯電話のファームウェアをアップグレードする必要がある。通常，ファームウェアアップグレードはチップの交換でなされる。
【０００３】
かかるファームウェアアップグレード方法は，携帯電話の使用者にとって，手間及び費用を要するものであり，かかる難点を軽減するために，何らかの別のファームウェアアップグレード方法が技術的課題として求められている。
【０００４】
【発明が解決しようとする課題】
本発明は，従来技術が有する上記問題点に鑑みてなされたものであり，本発明が解決しようとする技術的課題は，無線通信機器が，必要なファームウェアアップグレードを無線で基地局から受けることにより，簡単な方法で常に最新バージョンのファームウェアを担保可能な，新規かつ改良された無線通信機器のファームウェアアップグレード方法を提供するにある。
【０００５】
本発明が解決しようとする他の技術的課題は，上記のような無線通信機器のファームウェアアップグレードを支援する基地局におけるファームウェアアップグレード支援方法を提供するにある。
【０００６】
【課題を解決するための手段】
前記課題を達成するための本発明の第１の観点による無線通信機器のファームウェアアップグレード方法は，（ａ）無線通信機器の使用者識別名，及び少なくとも前記無線通信機器のファームウェア更新情報とバッテリレベル情報とを含むファームウェアアップグレードに必要な情報を該当基地局に伝送する段階と，（ｂ）伝送された前記無線通信機器のファームウェア更新情報及び前記バッテリレベル情報に基づいて，無線通信機器のファームウェアが最新バージョンではなく，かつ，バッテリレベルが所定レベル以上である場合に無線通信機器のファームウェアアップグレードを許可するように，前記該当基地局によって前記無線通信機器のファームウェアアップグレードの諾否が決定される段階と，（ｃ）前記基地局からの指示により前記無線通信機器がファームウェアアップグレードモードに転換する段階と，（ｄ）前記該当基地局から送信されたファームウェアアップグレードデータに応じて前記無線通信機器のファームウェアを無線でアップグレードする段階よりなることを特徴とする。
【０００７】
なお，前記ファームウェアアップグレードに必要な情報は，上述のように，少なくとも前記無線通信機器のファームウェア更新情報とバッテリレベル情報とを含むことが好ましい。
【０００８】
さらに，前記該当基地局から前記使用者に対して，前記ファームウェアアップグレードモードに応じて前記無線通信機器の正常モードでの使用が遅延されることを示す遅延メッセージを知らせる段階を含めても良い。
【０００９】
さらに，前記該当基地局から前記使用者に対して，前記ファームウェアアップグレードに要する費用について示す料金メッセージを知らせる段階を含めても良い。
【００１０】
さらに，前記使用者が前記ファームウェアアップグレードモードへの変更を承認する段階を含めても良い。
【００１１】
また，前記（ａ）〜（ｄ）段階は，前記無線通信機器の電源投入時に，前記無線通信機器が正常モードに入る前に実行されるように構成したり，あるいは，前記使用者または前記該当基地局により前記無線通信機器が前記正常モードから前記ファームウェアアップグレードモードにイネーブルされることにより実行されるように構成しても良い。
【００１２】
また，前記他の課題を達成するための本発明の他の観点にかかる基地局における発信局に対するファームウェアアップグレード支援方法は，（ａ）パイロット信号を受信する段階と，（ｂ）パイロット信号に対応する発信局の使用者識別名，ファームウェアアップグレード更新情報及びバッテリレベルを確認する段階と，（ｃ）上記バッテリレベルが所定レベル以上である場合に，ファームウェアアップグレード更新情報に応じて発信局のファームウェア更新の要否を判断し，ファームウェア更新が必要な場合には発信局にファームウェアアップグレードモードを伝送する段階と，（ｄ）基地局は発信局の受入れの可否に応じて，発信局のファームウェアを無線でアップグレードさせる段階よりなることが望ましい。
【００１３】
なお，上述のように，前記発信局のバッテリレベルを確認し，前記バッテリレベルが所定レベル以上である場合に前記（ｃ）段階に進行する段階を含めることが好ましい。
【００１４】
さらに，前記発信局がファームウェアアップグレードを受入れるかを判断し，受入れる場合には，無線でファームウェアアップグレードのためのデータを伝送する段階を含めても良い。
【００１５】
また，前記（ａ）〜（ｄ）段階は，前記基地局が前記発信局から前記パイロット信号を受信した時に実行されるように構成しても良いし，あるいは，前記発信局または前記基地局で前記ファームウェアアップグレードを要求する場合に実行されるように構成しても良い。
【００１６】
【発明の実施の形態】
以下，添付図面を参照しながら，本発明に基づいて構成された無線通信機器のファームウェアアップグレード方法及び基地局におけるファームウェアアップグレード支援方法の好適な実施形態について説明する。
【００１７】
現在は，無線通信時代を迎えており，無線通信機器の業者が乱立し，業者間で激しい競争が行われている。かかる状況下において，ある特定の無線通信機器の業者が勝ち残って行くには，差別化されたサービス機能を提供することが必要であり，その中でも，ファームウェアのアップグレードを保証する機能を提供することは，他の業者との差別化されたサービス機能として非常に有効である。
【００１８】
本発明は，かかる点に鑑みてなされたものであり，予めファームウェア検査機能を備えて，現在使用中のファームウェアが最新バージョンでなければ，自動的にあるいは使用者の許諾を受けて，ファームウェアのアップグレードを実行可能な無線通信機器のファームウェアアップグレード方法及び基地局におけるファームウェアアップグレード支援方法に関する。
【００１９】
本発明の一実施形態により行われるファームウェアアップグレード作業は，基本的には，携帯電話，ノート型パソコン，個人用情報端末（ＰＤＡ：Ｐｅｒｓｏｎａｌ  Ｄｉｇｉｔａｌ  Ａｓｓｉｓｔａｎｔ）等の無線通信機器が電源投入などの動作により起動され，該当基地局が発信局からパイロット信号を受信した初期動作として行われる。
【００２０】
参考として，一般の携帯電話の呼出方法，及びかかる呼出に対する基地局における受信処理方法について簡略に説明すれば次の通りである。
【００２１】
図１は，セル有効範囲内でセル基地局と移動局との関係を示す図面であって，１０はセル有効範囲（ｃｅｌｌ  ｃｏｖｅｒａｇｅ）を，１２はセル基地局を，１４は携帯電話を，１６はノート型パソコンを，１８は他の無線通信端末機を，２０は呼出地を各々示す。図１を参照すれば，例えば，最初に携帯電話１４に電源投入されると，携帯電話１４は自動的に自分の識別名（ＩＤ）をセル基地局１２に送信する。これにより，遠隔地，即ち呼出地２０から電話がかかってきた時，携帯電話１４の基地局１２では，携帯電話が最後に使われた場所を記憶しているので，携帯電話１４の位置を探索して迅速に呼出地２０と携帯電話１４とを接続させることができる。
【００２２】
図２は，移動局における呼出方法を説明するためのフローチャートである。携帯電話１４の電源をオンにすると（段階２０），まず携帯電話１４のバッテリ状態を検査する初期化動作が行われる（段階２２）。その後，携帯電話１４の使用者ＩＤが該当セル基地局１２に伝送され（段階２４），セル基地局１２から呼出設定に応じたダイアリング動作が実行される（段階２６）。
【００２３】
図３は，呼出に対する基地局の受信処理方法を説明するためのフローチャートである。まず，該当セル有効範囲１０内でパイロット信号を受信すると（段階３０），受信されたパイロット信号に対する発信局，即ち携帯電話１２の使用者ＩＤが確認される（段階３２）。確認が終わると，発信局からのダイアリングが可能となるように呼出設定が行われる（第３４段階）。
【００２４】
本発明の実施の一形態によれば，図２及び図３に示されたフローチャートに相当する動作の代わりに，またかかる動作に加えて，無線通信で携帯電話１４と該当基地局１２との間において，図４及び図５に示されたフローチャートに相当するプロトコルが実行される。
【００２５】
以下，本発明の実施の一形態による無線通信機器のファームウェアアップグレード方法及び基地局におけるファームウェアアップグレード支援方法について，添付図面に基づき説明する。
【００２６】
図４は，本発明の好適な実施の一形態による無線通信機器のファームウェアアップグレード方法を説明するためのフローチャートである。ここでは，携帯電話のファームウェアアップグレード方法を示すが，携帯電話以外に無線で通信可能な他の無線通信機器に対しても本発明が適用可能なのは勿論である。
【００２７】
まず，最初に携帯電話の電源をオンにしたり，または既に電源がオンの状態ならば，ファームウェアアップグレードモードがイネーブルされる（段階４００）。本実施の形態によるファームウェアアップグレード方法は，基本的には，無線通信機器が最初に電源オンされた後，正常モードに入る前に行われるが，使用者または該当基地局により，正常モードからファームウェアアップグレードモードにイネーブルされることによって行われる場合もある。
【００２８】
次いで，携帯電話のバッテリ状態を検査する初期化動作が行われ（段階４１０），その後，使用者識別名（ＩＤ）とともにファームウェアアップグレードに必要な情報が伝送される（段階４２０）。ここで，ファームウェアアップグレードに必要な情報としては，少なくとも携帯電話のファームウェア更新情報，即ち最新バージョンなのかを調べるための情報と，バッテリレベル情報を含む。図２に示された第２４段階と比較して使用者のＩＤ以外に付加的な情報が伝送される。
【００２９】
次いで，携帯電話は，伝送された情報に応じて該当基地局のアップグレード諾否を判断し，その諾否に応じてファームウェアアップグレードモードに転換される。そして，所定のサブモードに応じて無線通信機器のファームウェアを無線でアップグレードする（段階４３０）。
【００３０】
段階４３０は具体的に次の段階で構成される。
【００３１】
まず，該当基地局の指示によって携帯電話がファームウェアアップグレードモードに転換できるかを判断する（段階４３２）。ここで，ファームウェアアップグレードモードに転換されないと，携帯電話を正常モードで動作させ通常通り基地局からの呼出設定に応じたダイアリングが可能となる（段階４５０）。
【００３２】
これに対して，段階４３２において，ファームウェアアップグレードモードに転換されると，第１モードまたは第２モードからなるサブモードが実行される。
【００３３】
ここで第１モードによると，使用者に対して，ファームウェアアップグレードモードにより，携帯電話の通常の使用が遅延されることを示す遅延メッセージが，スピーカまたはディスプレイ画面等の出力手段を通じて知らされる（段階４３４）。使用者は，この遅延メッセージに従って携帯電話の使用遅延を同意するか否かを判断する（段階４３６）。
【００３４】
段階４３６で，使用者が携帯電話の使用遅延に同意した場合には，第１モードのファームウェアアップグレードを実行し（段階４３８），同意しない場合には，ファームウェアアップグレードモードを携帯電話の正常モードに転換して通常通り基地局からの呼出設定に応じたダイアリングが可能となる（段階４５０）。ここで，第１モードは，携帯電話の該当基地局から無料提供されたり，携帯電話の製造者またはネットワーク管理者の必要に応じて提供される基本的なファームウェアアップグレードを実行するモードである。
【００３５】
これに対して，第２モードでは，まず使用者に対してファームウェアアップグレードに必要な料金を前述した出力手段を通じて知らせる（段階４４０）。そして，使用者は，かかる料金請求に同意するか否かを判断する（段階４４２）。
【００３６】
段階４４２において，使用者が料金請求に同意した場合には，第２モードのファームウェアアップグレードを実行し（段階４４４），同意しない場合には，ファームウェアアップグレードモードを携帯電話の正常モードに転換して通常通り基地局からの呼出設定に応じたダイアリングが可能となる（段階４５０）。ここで，第２モードは，携帯電話の該当基地局から有料提供されたり，使用者の必要に応じて提供される付加的なファームウェアアップグレードを実行するモードである。
【００３７】
前述したサブモードによってファームウェアがアップグレードされると，ファームウェアアップグレードモードを正常モードに転換して通常通り基地局からの呼出設定に応じたダイアリングが実行可能になる（段階４５０）。
【００３８】
なお，図４に基づき説明した無線通信機器のファームウェアアップグレード方法は，本発明の好適な実施形態の一例であるが，現在使用中のファームウェアが最新バージョンでない場合には，アップグレードモードに関係なく使用者の許諾を受けなければならない。しかし，現在使用中のファームウェアが最新バージョンでない場合に，自動的に，あるいは使用者の許諾を受けてアップグレードの可否を決定するように構成することも可能であることは言うまでもない。
【００３９】
図５は，本発明の他の実施形態にかかる無線通信機器のファームウェアアップグレード方法を説明するためのフローチャートである。先の実施形態と同様に，携帯電話のファームウェアアップグレード方法を示すが，携帯電話以外に無線で通信可能な他の無線通信機器に対しても適用可能なのは勿論である。また，図５において，段階５００〜段階５２０については，それぞれ図４における段階４００〜段階４２０と対応する段階なので，その詳細な説明は省略する。
【００４０】
段階５２０後に，伝送された情報に対する該当基地局のアップグレード諾否に応じて，ファームウェアアップグレードモードに転換する。そして，第１モードおよび第２モードからなる所定のサブモードに応じて無線通信機器のファームウェアを無線によりアップグレードする（段階５３０）。
【００４１】
ここで，段階５３０は具体的に次の段階で構成される。
【００４２】
該当基地局の指示からファームウェアアップグレードモードに転換されたかを判断する（段階５３２）。ここで，ファームウェアアップグレードモードに転換されない場合には，携帯電話を正常モードに設定し，通常通り基地局からの呼出設定に応じたダイアリングが実行可能になる（段階５５０）。
【００４３】
段階５３２において，ファームウェアアップグレードモードに転換されると，第１モードにより，使用者にファームウェアアップグレードモードに応じるファームウェアアップグレードメッセージをスピーカまたはディスプレイ画面等の出力手段を通じて知らせる（段階５３４）。次いで，第１モードに応じたファームウェアアップグレードを実行する（段階５３６）。ここで，第１モードは，携帯電話の製造者またはネットワーク管理者により使用者の同意無しに提供される基本的なファームウェアアップグレードを実行するモードである。
【００４４】
次いで，依然として使用者が携帯電話を正常モードに転換させない待機モードなのかを判断する（段階５３８）。ここで，使用者により正常モードに転換された場合には，段階５５０に進行する。段階５３８で使用者が待機モードを維持すると，使用者に対して，少なくとも第２モードに応じたファームウェアアップグレードの必要性及び，それに応じて請求される料金情報を含んだアップグレード情報を知らせる（段階５４０）。かかる情報を参照して，使用者は，アップグレード情報に同意するか否かを判断する（段階５４２）。
【００４５】
段階５４２において，使用者がアップグレード情報に同意した場合には，第２モードに応じたファームウェアアップグレードを実行し（段階５４４），同意しない場合には，ファームウェアアップグレードモードを携帯電話の正常モードに転換して，通常通り基地局からの呼出設定に応じたダイアリングが実行可能になる（段階５５０）。ここで，第２モードは，携帯電話の製造者またはネットワーク管理者により，使用者から同意を受けた後に提供されるファームウェアアップグレードを実行するモードである。
【００４６】
前述したサブモードによってファームウェアがアップグレードされると，ファームウェアアップグレードモードを正常モードに転換して，通常通り基地局からの呼出設定に応じたダイアリングが実行可能になる（第５５０段階）。
【００４７】
図６は，本実施の形態にかかる基地局におけるファームウェアアップグレード支援方法を説明するためのフローチャートである。
【００４８】
まず，該当有効範囲内においてパイロット信号を受信する（段階６００）。本実施の形態による基地局におけるファームウェアアップグレード支援は，基本的に発信局からパイロット信号を受けた最初に実行されるが，発信局または基地局でファームウェアアップグレードを要求した場合に実行されるように構成することも可能である。
【００４９】
次いで，パイロット信号に対する発信局の使用者識別名（ＩＤ）を確認し，他の情報として発信局のファームウェアアップグレード更新情報とバッテリレベルとを確認する（段階６１０）。
【００５０】
次いで，ファームウェアアップグレード更新情報に応じて発信局のファームウェア更新が必要なのかを判断し，必要なら発信局をファームウェアアップグレードモードに転換させる。そして，第１及び第２モードからなる所定のサブモードに対する発信局の受否によって発信局のファームウェアを無線でアップグレードさせる（段階６２０）。
【００５１】
段階６２０は具体的には，次の段階で構成される。
【００５２】
まず，段階６１０で確認された発信局のバッテリレベルが所定レベル以上であるかどうかを判断する（段階６２２）。段階６２２において，発信局のバッテリレベルが十分であると判断されると次の段階に進行し，十分でない場合には，これ以上ファームウェアアップグレードのための動作を行わずに，通常通りに発信局のダイアリングのための呼出設定を行う（段階６４０）。ここで，バッテリの所定レベルは発信局がファームウェアアップグレード動作を遂行するに差し支えないレベルに設定される。即ち，発信局がローバッテリの場合には，ファームウェアアップグレードを受けることができない。
【００５３】
次いで，発信局のファームウェアアップグレード更新情報から，ファームウェアアップグレードの更新が必要なのかどうかを判断する（段階６２４）。即ち，更新情報から最新バージョンでないと確認されれば，発信局にファームウェアアップグレードモードを伝送し，既に最新バージョンであると確認されれば，これ以上のファームウェアアップグレード動作は行わずに，通常通りに発信局のダイアリングのための呼出設定を行う（段階６４０）。
【００５４】
さらに，基地局が発信局のモード転換用データを伝送して，発信局をファームウェアアップグレードモードに転換させた後に（段階６２６），第１モードに対応したファームウェアアップグレードが可能なのかを判断する（段階６２８）。段階６２８において発信局がファームウェアアップグレードを受入れると，無線でファームウェアアップグレードのためのデータを伝送する（段階６３０）。ここで，伝送されるデータは基地局より無料提供されるアップグレードまたは発信局の製造者または網管理者の必要に応じて基地局より提供されるアップグレードに対するデータである。ここで，発信局がファームウェアアップグレードを受け入れない場合には，段階６４０に進行する。
【００５５】
さらに，基地局は発信局が第２モードに対したファームウェアアップグレードが可能なのか否かを判断する（段階６３２）。段階６３２において，発信局が第２モードに対応したファームウェアアップグレードを受入れると，無線で第２モードに対応したファームウェアアップグレードのためのデータを伝送する（段階６３４）。ここで，第２モードに対応したファームウェアアップグレードのためのデータは，基地局より有料提供されるアップグレード，または発信局の必要に応じて基地局より提供されるアップグレードに対するデータである。ここで，発信局がファームウェアアップグレードを受入れない場合には，前述した段階６４０に進行する。
【００５６】
前述したサブモードに対するアップグレードを終了すると，通常通り発信局のダイアリングのための呼出を設定する（段階６４０）。
【００５７】
以上，添付図面を参照しながら，本実施の形態にかかるアップグレード方法とアップグレード支援方法について説明したが，本発明はかかる例に限定されない。当業者であれば，特許請求の範囲に記載された技術的思想の範疇内において各種の変更例または修正例に想到し得ることは明らかであり，それらについても，当然に本発明の技術的範囲に属するものと了解される。
【００５８】
例えば，上記実施形態の説明においては，無線通信機器がファームウェアアップグレードモードに転換される場合にサブモードとして提示された第１モード及び第２モードは，料金の有無によって使用者に告知するものか，あるいは機器メーカーまたはネットワーク管理者の必要によったものか，に応じて区分されたモードである。即ち，使用者が必ず知るべき料金を知らせるモードと，使用機器のスペックが大きく変更されるような場合に使用者に許諾や同意を求めるモードを備えることによって，使用者に告知すべき部分がわかるようにしている。しかし，このようなモードは一実施形態に過ぎなく，必要に応じて他のモードを追加しうることは言うまでもない。例えば，現在使用中の無線通信機器が，過去のモデルまたはファームウェアアップグレードの適用が不可能なモデルなのかを確認するモードを追加することも可能である。
【００５９】
また，本実施の形態にかかるアップグレード方法及びアップグレード支援方法は相互関係を有して行われることもあり，独立して行われることもある。即ち，図４または図５に示されたアップグレード方法に合せて図６に示されたアップグレード支援方法が必ずしも提供される必要はない。他のアップグレード支援方法によって図４または図５に示されたアップグレード方法が行われることがあり，またその逆の場合も成立することは言うまでもない。
【００６０】
【発明の効果】
以上説明したように，本発明による無線通信機器のファームウェアアップグレード方法及び基地局におけるファームウェアアップグレード支援方法は，無線通信機器のファームウェアアップグレードを無線方式で行うことにより，無線通信機器の開発及び量産時間を短縮し，かかる短縮時間に応じて通信市場における競争力も確保し，無線通信機器の機能が変わる時点に合せて安価で事前サービスまたは事後サービスが可能になり，コスト及び人力を画期的に低減することが可能である。
【図面の簡単な説明】
【図１】セル有効範囲内でセル基地局と移動局との関係を示す図面である。
【図２】携帯電話の呼出方法を説明するためのフローチャートである。
【図３】呼出に対するセル基地局の受信処理方法を説明するためのフローチャートである。
【図４】本発明による無線通信機器のファームウェアアップグレード方法を説明するための望ましい一実施例のフローチャートである。
【図５】本発明による無線通信機器のファームウェアアップグレード方法を説明するための望ましい他の実施例のフローチャートである。
【図６】本発明による基地局におけるファームウェアアップグレード支援方法を説明するためのフローチャートである。
【符号の説明】
１０    セル有効範囲
１２    セル基地局
１４    携帯電話
１６    ノート型パソコン
１８    無線通信端末機
２０    呼出地
【図１】
0003681293.tif 000002
【図２】
0003681293.tif 000003
【図３】
0003681293.tif 000004
【図４】
0003681293.tif 000005
【図５】
0003681293.tif 000006
【図６】
0003681293.tif 000007